【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
記録可能な記憶媒体からの記録済みデータの再生時に、前記記録可能な記憶媒体上の前記記録済みデータを自動的にリフレッシュする方法であって、
前記記録可能な記憶媒体から前記記録済みデータのセグメントを読み出すステップと、
前記記録済みデータの前記セグメントの少なくとも一部を前記記録可能な記憶媒体に再書き込みするステップと、
を含む方法。
【請求項２】
前記記録済みデータがデータ保持期間内でリフレッシュされる、請求項１記載の方法。
【請求項３】
前記記録可能な記憶媒体に再書き込みされる、前記記録済みデータの前記セグメントの前記一部が、前記記録可能な記憶媒体から読み出された、前記記録済みデータの前記セグメントに対応する、請求項１記載の方法。
【請求項４】
前記記録可能な記憶媒体から読み出された前記記録済みデータの前記セグメントと、前記記録可能な記憶媒体に再書き込みされる前記記録済みデータの前記セグメントの前記一部とは、少なくとも１つのエラー訂正コーディング（ＥＣＣ）ブロックである、請求項３記載の方法。
【請求項５】
前記記録可能な記憶媒体上に記録済みのデータが、その再生時に、最高ビット・ストリーム速度を呈し、前記読み出すステップと前記再書き込みするステップの組み合わせた速度が、前記最高ビット・ストリーム速度の少なくとも２倍である、請求項１記載の方法。
【請求項６】
前記読み出すステップの速度が、前記再書き込みするステップの速度とほぼ等しい、請求項５記載の方法。
【請求項７】
前記読み出すステップが、更に、前記記録済みデータの前記セグメントを前記記録可能な記憶媒体上のオリジナル位置から読み出すステップを含み、
前記再書き込みするステップが、更に、前記記録済みデータの前記セグメントの少なくとも一部を前記記録可能な記憶媒体上の前記オリジナル位置に再書き込みするステップを含む、
請求項１記載の方法。
【請求項８】
前記記録可能な記憶媒体に再書き込みされる、前記記録済みデータの前記セグメントの前記一部が、前記記録可能な記憶媒体上の新たな位置に再書き込みされる、請求項７記載の方法。
【請求項９】
記録可能な記憶媒体装置を用いて前記読み出すステップと前記再書き込みするステップとを行う際、前記記録可能な記憶媒体装置がユーザにより起動されたモードではない期間中に、前記読み出すステップと前記再書き込みするステップとが行われる、請求項１記載の方法。  
【請求項１０】
前記記録済みデータの前記セグメント内のエラーをサーチすることにより、前記記録済みデータの前記セグメントを選択的に検査する際、前記記録済みデータの前記セグメント内のエラーのレベルが所定レベルに達した場合のみ、前記再書き込みするステップが行われる、請求項１記載の方法。
【請求項１１】
記録済みデータ再生時に、記録可能な記憶媒体上の記録済みデータを自動的にリフレッシュする方法であって、
前記データの少なくとも１つのセグメントが、何時、前記記録可能な記憶媒体上に記録されたかをリストにして表すファイル・ディレクトリを作成するステップと、
前記記録可能な記憶媒体から前記記録済みデータの前記セグメントを読み出すステップと、
前記読み出すステップが、前記作成するステップからの所定経過時間後に行われるとき、前記記録済みデータの前記セグメントの少なくとも一部を前記記録可能な記憶媒体に再書き込みするステップと、
を含む方法。  
【請求項１２】
前記所定経過時間がデータ保持期間内に在る、請求項１１記載の方法。
【請求項１３】
記録済みデータ再生時に、記録可能な記憶媒体上の記録済みデータを自動的にリフレッシュする方法であって、
前記記録可能な記憶媒体から前記記録済みデータのセグメントを読み出すステップと、
前記セグメント内のエラーの数が第１の所定数に達している場合、ジャンプ・バックして前記セグメントを再読み出しするステップと、
前記ジャンプ・バックの数が第２の所定数に達している場合、前記記録済みデータの前記セグメントの少なくとも一部を前記記録可能な記憶媒体に再書き込みするステップと、
を含む方法。
【請求項１４】
記録可能な記憶媒体からの記録済みデータの再生時に、前記記録可能な記憶媒体上の前記記録済みデータを自動的にリフレッシュするシステムであって、
マイクロプロセッサと、
コントローラとを含み、
前記コントローラが、前記記録可能な記憶媒体から前記記録済みデータのセグメントを読み出し、
更に、前記コントローラが、前記マイクロプロセッサの命令に従って、前記記録済みデータの前記セグメントの少なくとも一部を前記記録可能な記憶媒体に再書き込みする、システム。
【請求項１５】
前記記録済みデータが、データ保持期間内でリフレッシュされる、請求項１４記載のシステム。
【請求項１６】
前記コントローラにより前記記録可能な記憶媒体に再書き込みされる前記記録済みデータの前記セグメントの前記一部が、前記コントローラにより前記記録可能な記憶媒体から読み出された前記記録済みデータの前記セグメントに対応する、請求項１４記載のシステム。
【請求項１７】
前記コントローラにより前記記録可能な記憶媒体から読み出された前記記録済みデータの前記セグメントと、前記コントローラにより前記記録可能な記憶媒体に再書き込みされる前記記録済みデータの前記セグメントの前記一部とが、少なくとも１つのエラー訂正コーディング（ＥＣＣ）ブロックである、請求項１６記載のシステム。
【請求項１８】
前記コントローラにより前記記録可能な記憶媒体上に記録済みのデータが、その再生中に前記コントローラにより読み出されるとき、最高ビット・ストリーム速度を呈し、前記読み出すステップと前記再書き込みするステップの組み合わせた速度が、前記最高ビット・ストリーム速度の少なくとも２倍である、請求項１４記載のシステム。
【請求項１９】
前記読み出すステップの速度が、前記再書き込みするステップの速度とほぼ等しい、請求項１８記載のシステム。
【請求項２０】
前記コントローラが、前記記録済みデータの前記セグメントを前記記録可能な記憶媒体上のオリジナル位置から読み出し、前記記録済みデータの前記セグメントの少なくとも一部を前記記録可能な記憶媒体上の前記オリジナル位置に再書き込みする、請求項１４記載のシステム。
【請求項２１】
前記コントローラにより前記記録可能な記憶媒体に再書き込みされる前記記録済みデータの前記セグメントの前記一部が、前記コントローラにより前記記録可能な記憶媒体上の新たな位置に再書き込みされる、請求項２０記載のシステム。
【請求項２２】
前記コントローラと前記マイクロプロセッサが記録可能な記憶媒体装置内に含まれており、該記録可能な記憶媒体装置がユーザにより起動されたモードではない期間中に、前記コントローラが前記読み出すステップと前記再書き込みするステップとを行う、請求項１４記載のシステム。
【請求項２３】
前記コントローラが、前記記録済みデータの前記セグメント内のエラーをサーチすることにより、前記記録済みデータの前記セグメントを選択的に検査し、且つ、前記コントローラが、前記マイクロプロセッサの命令に従って、前記記録済みデータの前記セグメント内のエラーのレベルが所定レベルに達している場合のみ、前記再書き込みするステップを行う、請求項１４記載のシステム。
【請求項２４】
記録済みデータ再生時に、記録可能な記憶媒体上の記録済みデータを自動的にリフレッシュするシステムであって、
前記データの少なくとも１つのセグメントが前記記録可能な記憶媒体上に記録された作成日をリストにして表すファイル・ディレクトリを作成するマイクロプロセッサと、
コントローラと、を含み、
前記コントローラが、前記記録可能な記憶媒体から前記記録済みデータの前記セグメントを読み出し、
更に、前記コントローラが、前記マイクロプロセッサの命令に従って、前記記録済みデータの前記セグメントの少なくとも一部を前記記録可能な記憶媒体に再書き込みし、
前記読み出すステップと前記再書き込みするステップが、前記ファイル・ディレクトリに格納された作成日を基準にしたデータ保持期間内の所定時刻に行われる、システム。
【請求項２５】
記録済みデータ再生時に、記録可能な記憶媒体上の記録済みデータを自動的にリフレッシュするシステムであって、
マイクロプロセッサと、
コントローラと、を含み、
前記コントローラが、前記記録可能な記憶媒体から前記記録済みデータのセグメントを読み出し、また、第１の所定数に達している前記セグメント内のエラーの数に応答して、ジャンプ・バックを行って前記セグメントを再度読み出し、
前記マイクロプロセッサが、第２の所定数に等しくなったジャンプ・バックの数に応答して、前記記録可能な記憶媒体への前記記録済みデータの前記セグメントの少なくとも一部の再書き込みを実行させる、システム。  
【請求項２６】
複数の記録可能な記憶媒体上の記録済みデータを自動的にリフレッシュする方法であって、
前記複数の記録可能な記憶媒体のうちの１つを選択するステップと、
前記選択された記録可能な記憶媒体上の記録済みデータの少なくとも１つのセグメントについての記録作成日を表す情報を有するファイル・ディレクトリを読み出すステップと、
前記ファイル・ディレクトリ内の前記情報により表される前記記録作成日から所定の時間が経過した場合、前記選択された記録可能な記憶媒体上の前記記録済みデータの前記セグメントの少なくとも一部を再書き込みするステップと、
前記複数の記録可能な記憶媒体の残りの各々について、前記選択するステップと前記読み出すステップと前記再書き込みするステップとを繰り返すステップと、
を含む方法。
【請求項２７】
前記選択するステップと前記読み出すステップと前記再書き込みするステップと前記繰り返すステップとを更に繰り返すステップを含む、請求項２６記載の方法。
【手続補正２】
【補正対象書類名】明細書
【補正対象項目名】０００２
【補正方法】変更
【補正の内容】
【０００２】
近年、多くの人々が、光学記憶媒体技術により、テレビジョン番組を記録し、或いは、結婚式、卒業式等の個人的に重要なイベント（ｅｖｅｎｔ：出来事）を記録している。しかし、とりわけ、現在の幾つかの光学記憶媒体技術、例えば、ＤＶＤやＣＤ等は、データ保持期間に制限がある。即ち、これらの光学記憶媒体技術では、記憶媒体上に一定期間記録されたディジタル情報の一部（数ビット）を失い始める。例えば、ＤＶＤ上にデータを記録して約５年後に、その記録済みデータが数ビットを失い始める。特に、光学媒体上にデータを記録する為に用いられる、光波に位相変化特性を生じさせる化学反応は、一定期間を経ると、その安定性を失う。また、光学記憶媒体を、温度が変動する環境、および／または、過度の量の周辺光が当たる環境に置くと、そのような媒体上に記憶されたデータを更に劣化させることがある。多くの光学記憶媒体システム内では、エラー訂正技術により、再生目的の情報を回復できることもあるが、最終的には、ビット喪失がエラー訂正能力を上回り、記録済みデータの画質が著しく劣化することになる。
【手続補正３】
【補正対象書類名】明細書
【補正対象項目名】０００８
【補正方法】変更
【補正の内容】
【０００８】
一構成例に於いて、記録可能な記憶媒体装置は、装置がユーザにより動作制御されていない期間中に、読み出すステップと再書き込みするステップとを行うことができる。例えば、複数のディスク媒体を搭載する記録可能な記憶媒体装置では、装置が表面上のオフ状態または待機状態にある装置非動作期間中、読み出すステップと再書き込みするステップが実行される。更に、読み出すステップと再書き込みするステップは、ファイル・ディレクトリに格納される記録作成タイムを基準にしたデータ保持期間内に在る所定の経過時間に応じて、実行される。
【手続補正４】
【補正対象書類名】明細書
【補正対象項目名】００１１
【補正方法】変更
【補正の内容】
【００１１】
また、本発明は、記録可能な記憶媒体からの記録済みデータの再生時に、記録可能な記憶媒体上の記録済みデータを自動的にリフレッシュするシステムに関する。このシステムはマイクロプロセッサとコントローラとを含み、該コントローラが、記録可能な記憶媒体から記録済みデータのセグメントを読み出し、更に、マイクロプロセッサの命令に従って、記録済みデータのセグメントの少なくとも一部を記録可能な記憶媒体上に再書き込みする。このシステムは、更に、上述の各方法を実施するのに適したソフトウェアと回路とを含んでいる。
特許請求の範囲と実施例との対応関係を実施例で使われている参照番号を用いて示すと以下の通りである。
（請求項１）
記録可能な記憶媒体（１１０）からの記録済みデータの再生時に、前記記録可能な記憶媒体（１１０）上の前記記録済みデータを自動的にリフレッシュする方法であって、
前記記録可能な記憶媒体から前記記録済みデータのセグメントを読み出すステップ（２１２）と、
前記記録済みデータの前記セグメントの少なくとも一部を前記記録可能な記憶媒体に再書き込みするステップ（２１８）と、
を含む方法。
（請求項２）
前記記録済みデータがデータ保持期間内でリフレッシュされる、請求項１記載の方法。
（請求項３）
前記記録可能な記憶媒体（１１０）に再書き込みされる、前記記録済みデータの前記セグメントの前記一部が、前記記録可能な記憶媒体から読み出された、前記記録済みデータの前記セグメントに対応する（３２６）、請求項１記載の方法。
（請求項４）
前記記録可能な記憶媒体（１１０）から読み出された前記記録済みデータの前記セグメントと、前記記録可能な記憶媒体（１１０）に再書き込みされる前記記録済みデータの前記セグメントの前記一部とは、少なくとも１つのエラー訂正コーディング（ＥＣＣ）ブロックである（２１８）、請求項３記載の方法。
（請求項５）
前記記録可能な記憶媒体（１１０）上に記録済みのデータが、その再生時に、最高ビット・ストリーム速度を呈し、前記読み出すステップと前記再書き込みするステップの組み合わせた速度が、前記最高ビット・ストリーム速度の少なくとも２倍である、請求項１記載の方法。
（請求項６）
前記読み出すステップ（２１２）の速度が、前記再書き込みするステップ（２１８）の速度とほぼ等しい、請求項５記載の方法。
（請求項７）
前記読み出すステップ（２１２）が、更に、前記記録済みデータの前記セグメントを前記記録可能な記憶媒体（１１０）上のオリジナル位置から読み出すステップを含み、
前記再書き込みするステップ（２１８）が、更に、前記記録済みデータの前記セグメントの少なくとも一部を前記記録可能な記憶媒体上の前記オリジナル位置に再書き込みする（２１８）ステップを含む、
請求項１記載の方法。
（請求項８）
前記記録可能な記憶媒体（１１０）に再書き込みされる、前記記録済みデータの前記セグメントの前記一部が、前記記録可能な記憶媒体上の新たな位置に再書き込みされる（２１８）、請求項７記載の方法。
（請求項９）
記録可能な記憶媒体装置（１００）を用いて前記読み出すステップ（４１６）と前記再書き込みするステップ（４１８）とを行う際、前記記録可能な記憶媒体装置（１００）がユーザにより起動されたモードではない期間中に、前記読み出すステップと前記再書き込みするステップとが行われる、請求項１記載の方法。  
（請求項１０）
前記記録済みデータの前記セグメント内のエラーをサーチすることにより、前記記録済みデータの前記セグメントを選択的に検査する際（２１４）、前記記録済みデータの前記セグメント内のエラーのレベルが所定レベルに達した場合（２１６）のみ、前記再書き込みするステップ（２１８）が行われる、請求項１記載の方法。
（請求項１１）
記録済みデータ再生時に、記録可能な記憶媒体（１１０）上の記録済みデータを自動的にリフレッシュする方法であって、
前記データの少なくとも１つのセグメントが、何時、前記記録可能な記憶媒体上に記録されたかをリストにして表すファイル・ディレクトリを作成するステップ（４１２）と、
前記記録可能な記憶媒体（１１０）から前記記録済みデータの前記セグメントを読み出すステップ（４１６）と、
前記読み出すステップ（４１６）が、前記作成するステップからの所定経過時間後に（４１４）行われるとき、前記記録済みデータの前記セグメントの少なくとも一部を前記記録可能な記憶媒体（１１０）に再書き込みするステップ（４１８）と、
を含む方法。  
（請求項１２）
前記所定経過時間がデータ保持期間内に在る、請求項１１記載の方法。
（請求項１３）
記録済みデータ再生時に、記録可能な記憶媒体（１１０）上の記録済みデータを自動的にリフレッシュする方法であって、
前記記録可能な記憶媒体（１１０）から前記記録済みデータのセグメントを読み出すステップ（３１２）と、
前記セグメント内のエラーの数が第１の所定数に達している場合（３１４）、ジャンプ・バックして前記セグメントを再読み出しするステップ（３１６）と、
前記ジャンプ・バックの数が第２の所定数に達している場合（３２４）、前記記録済みデータの前記セグメントの少なくとも一部を前記記録可能な記憶媒体に再書き込みするステップ（３２６）と、
を含む方法。
（請求項１４）
記録可能な記憶媒体（１１０）からの記録済みデータの再生時に、前記記録可能な記憶媒体（１１０）上の前記記録済みデータを自動的にリフレッシュするシステムであって、
マイクロプロセッサ（１１６）と、
コントローラ（１１２）とを含み、
前記コントローラ（１１２）が、前記記録可能な記憶媒体（１１０）から前記記録済みデータのセグメントを読み出し（３１２）、
更に、前記コントローラ（１１２）が、前記マイクロプロセッサ（１１６）の命令に従って、前記記録済みデータの前記セグメントの少なくとも一部を前記記録可能な記憶媒体（１１０）に再書き込みする（３２６）、システム。
（請求項１５）
前記記録済みデータが、データ保持期間内でリフレッシュされる（４１４、４１６、４１８）、請求項１４記載のシステム。
（請求項１６）
前記コントローラ（１１２）により前記記録可能な記憶媒体（１１０）に再書き込みされる（３２６）前記記録済みデータの前記セグメントの前記一部が、前記コントローラ（１１２）により前記記録可能な記憶媒体（１１０）から読み出された（３１２）前記記録済みデータの前記セグメントに対応する、請求項１４記載のシステム。
（請求項１７）
前記コントローラ（１１２）により前記記録可能な記憶媒体（１１０）から読み出された前記記録済みデータの前記セグメントと、前記コントローラ（１１２）により前記記録可能な記憶媒体（１１０）に再書き込みされる前記記録済みデータの前記セグメントの前記一部とが、少なくとも１つのエラー訂正コーディング（ＥＣＣ）ブロックである（２１８）、請求項１６記載のシステム。
（請求項１８）
前記コントローラ（１１２）により前記記録可能な記憶媒体（１１０）上に記録済みのデータが、その再生中に前記コントローラ（１１２）により読み出されるとき、最高ビット・ストリーム速度を呈し、前記読み出すステップ（２１２）と前記再書き込みするステップ（２１８）の組み合わせた速度が、前記最高ビット・ストリーム速度の少なくとも２倍である、請求項１４記載のシステム。
（請求項１９）
前記読み出すステップ（２１２）の速度が、前記再書き込みするステップ（２１８）の速度とほぼ等しい、請求項１８記載のシステム。
（請求項２０）
前記コントローラ（１１２）が、前記記録済みデータの前記セグメントを前記記録可能な記憶媒体（１１０）上のオリジナル位置から読み出し、前記記録済みデータの前記セグメントの少なくとも一部を前記記録可能な記憶媒体（１１０）上の前記オリジナル位置に再書き込みする（３２６）、請求項１４記載のシステム。
（請求項２１）
前記コントローラ（１１２）により前記記録可能な記憶媒体（１１０）に再書き込みされる（３２６）前記記録済みデータの前記セグメントの前記一部が、前記コントローラ（１１２）により前記記録可能な記憶媒体（１１０）上の新たな位置に再書き込みされる（３２６）、請求項２０記載のシステム。
（請求項２２）
前記コントローラ（１１２）と前記マイクロプロセッサ（１１６）が記録可能な記憶媒体装置（１００）内に含まれており、該記録可能な記憶媒体装置（１００）がユーザにより起動されたモードではない期間中に、前記コントローラ（１１２）が前記読み出すステップ（４１６）と前記再書き込みするステップ（４１８）とを行う、請求項１４記載のシステム。
（請求項２３）
前記コントローラ（１１２）が、前記記録済みデータの前記セグメント内のエラーをサーチすることにより、前記記録済みデータの前記セグメントを選択的に検査し（２１４）、且つ、前記コントローラ（１１２）が、前記マイクロプロセッサ（１１６）の命令に従って、前記記録済みデータの前記セグメント内のエラーのレベルが所定レベルに達している場合（２１６）のみ、前記再書き込みするステップ（２１８）を行う、請求項１４記載のシステム。
（請求項２４）
記録済みデータ再生時に、記録可能な記憶媒体（１１０）上の記録済みデータを自動的にリフレッシュするシステムであって、
前記データの少なくとも１つのセグメントが前記記録可能な記憶媒体（１１０）上に記録された作成日をリストにして表すファイル・ディレクトリを作成する（４１２）マイクロプロセッサ（１１６）と、
コントローラ（１１２）と、を含み、
前記コントローラ（１１２）が、前記記録可能な記憶媒体（１１０）から前記記録済みデータの前記セグメントを読み出し、
更に、前記コントローラ（１１２）が、前記マイクロプロセッサ（１１６）の命令に従って、前記記録済みデータの前記セグメントの少なくとも一部を前記記録可能な記憶媒体（１１０）に再書き込みし、
前記読み出すステップ（４１６）と前記再書き込みするステップ（４１８）が、前記ファイル・ディレクトリに格納された作成日（４１２）を基準にしたデータ保持期間内の所定時刻に行われる、システム。
（請求項２５）
記録済みデータ再生時に、記録可能な記憶媒体（１１０）上の記録済みデータを自動的にリフレッシュするシステムであって、
マイクロプロセッサ（１１６）と、
コントローラ（１１２）と、を含み、
前記コントローラ（１１２）が、前記記録可能な記憶媒体（１１０）から前記記録済みデータのセグメントを読み出し（３１２）、また、第１の所定数に達している前記セグメント内のエラーの数（３１４）に応答して、ジャンプ・バックを行って前記セグメントを再度読み出し、
前記マイクロプロセッサ（１１６）が、第２の所定数に等しくなったジャンプ・バックの数（３２４）に応答して、前記記録可能な記憶媒体（１１０）への前記記録済みデータの前記セグメントの少なくとも一部の再書き込み（３２６）を実行させる、システム。  
（請求項２６）
複数の記録可能な記憶媒体（１１０）上の記録済みデータを自動的にリフレッシュする方法であって、
前記複数の記録可能な記憶媒体（１１０）のうちの１つを選択するステップと、
前記選択された記録可能な記憶媒体（１１０）上の記録済みデータの少なくとも１つのセグメントについての記録作成日を表す情報を有するファイル・ディレクトリを読み出すステップと、
前記ファイル・ディレクトリ内の前記情報により表される前記記録作成日から所定の時間が経過した場合（４１４）、前記選択された記録可能な記憶媒体（１１０）上の前記記録済みデータの前記セグメントの少なくとも一部を再書き込みするステップ（４１８）と、
前記複数の記録可能な記憶媒体（１１０）の残りの各々について、前記選択するステップと前記読み出すステップと前記再書き込みするステップとを繰り返すステップと、
を含む方法。
（請求項２７）
前記選択するステップと前記読み出すステップと前記再書き込みするステップと前記繰り返すステップとを更に繰り返すステップを含む、請求項２６記載の方法。
【手続補正５】
【補正対象書類名】明細書
【補正対象項目名】００１９
【補正方法】変更
【補正の内容】
【００１９】
再びステップ２１８を参照すると、記録済みデータのセグメントの少なくとも一部を記録可能な記憶媒体上に再書き込みしようとする場合、この再書き込みしようとするセグメントは、記録可能な記憶媒体から読み出された記録済みデータのセグメントに相当する。即ち、読み出しステップ２１２のときに、記録可能な記憶媒体から読み出される実質的に同量の記録済みデータが、再書き込みステップ２１８の時に記録可能な記憶媒体の同じ或いは異なる位置に再書き込みされる。例えば、記録可能な記憶媒体から読み出された記録済みデータのセグメントがＥＣＣブロックを表す場合、この同じＥＣＣブロックの記録済みデータが記録可能な記憶媒体上に再書き込みされる。
【手続補正６】
【補正対象書類名】明細書
【補正対象項目名】００２５
【補正方法】変更
【補正の内容】
【００２５】
ジャンプ・バックの数が第２の所定レベル、即ち、第２の所定数に達すると、ブロック３２４の判定結果はＹＥＳになり、記録済みデータのセグメントの少なくとも一部が、ステップ３２６に示すように、記録可能な記憶媒体上に再書き込みされる。判定ブロックであるステップ３２０に於いて、自動リフレッシュ・モードが終了すべきか否かが検査されて、その判定結果がＮＯの場合、シーケンスはステップ３１２に戻る。ブロック３２０の判定結果がＹＥＳの場合、自動リフレッシュ・モードはステップ３２２で終了する。従って、第１の所定エラー数の値に拘わらず、データを再取得する為にトランスデューサが実行したジャンプ・バックの実際の数が、ステップ３２６に於ける再書き込みをトリガする基準になる。このように、データのセグメントを読み出して正常にエラー訂正を行う各試行的に実行されるジャンプ・バックの所定数に基づいて、再書き込みステップが開始される。
【手続補正７】
【補正対象書類名】明細書
【補正対象項目名】００２８
【補正方法】変更
【補正の内容】
【００２８】
更に別の構成に於いて、記録可能な記憶媒体装置は、使用されていないとき、読み出しステップおよび再書き込みステップを実行する。例えば、複数のディスク媒体を搭載でき、それらを選択できる記録可能な記憶媒体装置に於いて、装置が表面上のオフ状態または待機（スタンバイ）状態にある装置非動作期間中、読み出しステップと再書き込みステップとが実行される。記録可能な記憶媒体装置は、様々なパラメータを使用して非動作期間を特定できる。例えば、装置のコントローラは、装置の状態、プレー、記録、待機等を認識している。更に、マイクロコントローラ・システム内のタイマは、不使用期間、即ち、例えば選択月の特定日の早朝時間帯などの所定時間帯の到来を特定できる。このようにして、装置は、装置内の記録済み媒体の周期的な監査を実行して、様々な再書き込み基準を満足する記録済み媒体のアイテムをリフレッシュできる。更に、読み出しステップと再書き込みステップとは、所定経過時間が、データ保持期間より短く、且つ、ファイル・ディレクトリに記憶された記録作成時刻または記録作成日を基準にして特定できる図４に示すようなシーケンスで、実行できる。前述のように、自動リフレッシュ・シーケンスの実行により、記録作成日のファイルも補正されて、それに自動リフレッシュの日付けが反映される。